(57)【特許請求の範囲】
【請求項１】
支持本体、
支持本体に対し回動可能に支持されるとともに、操作ワイヤーの膨出係止体を当該回動方向に係止し得るワイヤー係止部を有する操作体、
を備え、
操作体の回動操作に伴い、操作ワイヤーを牽引しまたは繰出す
ワイヤー操作装置において、
前記ワイヤー係止部を、当該ワイヤー係止部の前記回動方向とほぼ直交する方向に、操作ワイヤーの膨出係止体を着脱し得るよう構成し、
少なくとも前記支持本体の一部を用いた、操作ワイヤーのワイヤー体を挿通するワイヤー挿通部、
少なくとも前記支持本体の一部を用い、ワイヤー挿通部を含むようまたはワイヤー挿通部に連続するよう形成した、操作ワイヤーの膨出係止体を挿通し得る着脱用係止体挿通孔、
を設けたワイヤー操作装置であって、さらに、
当該ワイヤー操作装置において、
前記支持本体は、
略環状円板状の本体基部と本体基部から立設された支持内筒と本体基部から立設された保護外筒とにより形成された略環状空間を備え、
前記操作体は、
前記略環状空間内に配置される、前記ワイヤー係止部を含むワイヤー巻取り部、
ワイヤー巻取り部に連続して設けられた操作体基部、
操作体基部に連続して設けられた握持操作部、
を備え、
前記着脱用係止体挿通孔を、
本体基部に対しほぼ直交する方向に、本体基部および保護外筒を貫通するよう形成し、
前記ワイヤー挿通部を、
前記着脱用係止体挿通孔により切り欠かれた保護外筒の切欠き部により形成し、
本体基部に、
着脱用係止体挿通孔に連続して形成された着脱用ワイヤー通し孔、
着脱用ワイヤー通し孔に連続して形成された第２の着脱用係止体挿通孔、
を設けたこと
を特徴とするワイヤー操作装置。
【請求項２】
支持本体、
支持本体に対し回動可能に支持されるとともに、操作ワイヤーの膨出係止体を当該回動方向に係止し得るワイヤー係止部を有する操作体、
を備え、
操作体の回動操作に伴い、操作ワイヤーを牽引しまたは繰出す
ワイヤー操作装置において、
前記ワイヤー係止部を、当該ワイヤー係止部の前記回動方向とほぼ直交する方向に、操作ワイヤーの膨出係止体を着脱し得るよう構成し、
少なくとも前記支持本体の一部を用いた、操作ワイヤーのワイヤー体を挿通するワイヤー挿通部、
少なくとも前記支持本体の一部を用い、ワイヤー挿通部に連続して外部に開放されたワイヤー着脱用溝部、
を設けたワイヤー操作装置であって、さらに、
当該ワイヤー操作装置において、
前記支持本体は、
略環状円板状の本体基部と本体基部から立設された支持内筒と本体基部から立設された保護外筒とにより形成された略環状空間を備え、
前記操作体は、
前記略環状空間内に配置される、前記ワイヤー係止部を含むワイヤー巻取り部、
ワイヤー巻取り部に連続して設けられた操作体基部、
操作体基部に連続して設けられた握持操作部、
を備え、
本体基部に、
ワイヤー着脱用溝部に連続して形成された着脱用ワイヤー通し孔および第２の着脱用係止体挿通孔、
を設けたこと
を特徴とするワイヤー操作装置。
【請求項３】
支持本体、
支持本体に対し回動可能に支持されるとともに、操作ワイヤーの膨出係止体を当該回動方向に係止し得るワイヤー係止部を有する操作体、
を備え、
操作体の回動操作に伴い、操作ワイヤーを牽引しまたは繰出す
ワイヤー操作装置において、
前記ワイヤー係止部を、当該ワイヤー係止部の前記回動方向とほぼ直交する方向に、操作ワイヤーの膨出係止体を着脱し得るよう構成し、
少なくとも前記支持本体の一部を用いた、操作ワイヤーのワイヤー体を挿通するワイヤー挿通部、
少なくとも前記支持本体の一部を用い、ワイヤー挿通部を含むようまたはワイヤー挿通部に連続するよう形成した、操作ワイヤーの膨出係止体を挿通し得る着脱用係止体挿通孔、
を設けたワイヤー操作装置であって、さらに、
当該ワイヤー操作装置において、
前記ワイヤー挿通部に連続して設けられたワイヤー案内溝を有するワイヤー案内部、
ワイヤー案内部の略先端部に設けられ、ワイヤー鞘の端部を係止するとともに、ワイヤー鞘の端部近傍に設けられた凹部に係合する係合突起を有する鞘端係止部、
を設けたこと
を特徴とするワイヤー操作装置。
【請求項４】
支持本体、
支持本体に対し回動可能に支持されるとともに、操作ワイヤーの膨出係止体を当該回動方向に係止し得るワイヤー係止部を有する操作体、
を備え、
操作体の回動操作に伴い、操作ワイヤーを牽引しまたは繰出す
ワイヤー操作装置において、
前記ワイヤー係止部を、当該ワイヤー係止部の前記回動方向とほぼ直交する方向に、操作ワイヤーの膨出係止体を着脱し得るよう構成し、
少なくとも前記支持本体の一部を用いた、操作ワイヤーのワイヤー体を挿通するワイヤー挿通部、
少なくとも前記支持本体の一部を用い、ワイヤー挿通部に連続して外部に開放されたワイヤー着脱用溝部、
を設けたワイヤー操作装置であって、さらに、
当該ワイヤー操作装置において、
前記ワイヤー挿通部に連続して設けられたワイヤー案内溝を有するワイヤー案内部、
ワイヤー案内部の略先端部に設けられ、ワイヤー鞘の端部を係止するとともに、ワイヤー鞘の端部近傍に設けられた凹部に係合する係合突起を有する鞘端係止部、
を設けたこと
を特徴とするワイヤー操作装置。
【発明の詳細な説明】
【０００１】
【発明の属する技術分野】
この発明は、ワイヤー操作装置に関し、特に、操作ワイヤーの着脱を容易に行なうための技術に関する。
【０００２】
【従来の技術】
ワイヤー操作装置の適用例として、自転車等の変速操作装置が知られている。図１４は、従来の自転車用の変速操作装置２の構成の一部を示す概念図である。変速操作装置２は、自転車のハンドルバー４に固定された筐体６と、筐体６に対し回動可能に支持された操作体８とを備えている。
【０００３】
操作体８のニップル収納部８ａには、インナーワイヤー１０（図１５Ａ参照）の一端を構成するニップル１２が収納されている。インナーワイヤー１０のワイヤー体１４は、操作体８のワイヤー孔８ｂ、筐体６のワイヤー孔６ａを介して、変速操作装置２の外部に導出される。
【０００４】
操作体８を、Ｐ１方向またはＰ２方向に回動させることにより、インナーワイヤー１０のワイヤー体１４をＰ３方向に牽引し、またはＰ４方向に繰出すことができる。これにより、インナーワイヤー１０の他端（ワイヤー体１４の先端部１４ａ、図１５Ａ参照）にボルト・ナットなどの締結手段を用いて接続された変速機（図示せず）を、操作することができる。
【０００５】
【発明が解決しようとする課題】
しかしながら、上記のような従来の変速操作装置２には、次のような問題点があった。図１５Ａに示す片ニップル型のインナーワイヤー１０を変速操作装置２にセットする場合、ワイヤー体１４の先端部１４ａを、筐体６の着脱用孔６ｂ、操作体８のニップル収納部８ａ、ワイヤー孔８ｂ、筐体６のワイヤー孔６ａの順に、Ｐ４方向に通さなければならない。このため、インナーワイヤー１０のワイヤー体１４が長い場合には、変速操作装置２へのセットに時間を要する。
【０００６】
また、変速機によっては、インナーワイヤーの他端との接続を、締結手段を用いず、変速操作装置２との接続同様、ニップルを用いて行なわなければならないものがある。このような場合、図１５Ｂに示すような、両端ニップル型のインナーワイヤー１６を用いることになる。ところが、操作体８のワイヤー孔８ｂ、筐体６のワイヤー孔６ａは、いずれもワイヤー体１４の直径より、ほんのわずか大きいものの、ニップル１２の径よりは、かなり小さい。したがって、上述の従来の変速操作装置２には、両端ニップル型のインナーワイヤー１６を用いることができない。
【０００７】
このような場合、図１５Ａに示す片ニップル型のインナーワイヤー１０を、前述の手順にしたがって変速操作装置２にセットした後、ワイヤー体１４の他端を変速機の所定箇所に挿通し、その後、先端部１４ａ（図１５Ａ参照）に、ニップル状の止め金具（図示せず）をかしめる方法がある。
【０００８】
しかしながら、この方法によっては、変速操作装置２と該変速機との接続は可能となるものの、煩雑なかしめ工程が必要となり、製造コストが上昇する。また、インナーワイヤーに大きい引っ張り力が作用した場合、かしめた止め金具がインナーワイヤーの先端部１４ａから抜けるおそれがある。さらに、インナーワイヤーが劣化した場合、ユーザーが取り替え作業を行なうことが困難である。
【０００９】
この発明は、このような問題点を解決し、インナーワイヤーを短時間で着脱することができ、また、両端ニップル型のインナーワイヤーを着脱することができる、自転車用変速操作装置などのワイヤー操作装置を提供することを目的とする。
【００１０】
【課題を解決するための手段】
請求項１のワイヤー操作装置は、
支持本体、
支持本体に対し回動可能に支持されるとともに、操作ワイヤーの膨出係止体を当該回動方向に係止し得るワイヤー係止部を有する操作体、
を備え、
操作体の回動操作に伴い、操作ワイヤーを牽引しまたは繰出す
ワイヤー操作装置において、
前記ワイヤー係止部を、当該ワイヤー係止部の前記回動方向とほぼ直交する方向に、操作ワイヤーの膨出係止体を着脱し得るよう構成し、
少なくとも前記支持本体の一部を用いた、操作ワイヤーのワイヤー体を挿通するワイヤー挿通部、
少なくとも前記支持本体の一部を用い、ワイヤー挿通部を含むようまたはワイヤー挿通部に連続するよう形成した、操作ワイヤーの膨出係止体を挿通し得る着脱用係止体挿通孔、
を設けたこと
を特徴とする。
【００１１】
さらに、請求項１のワイヤー操作装置においては、前記支持本体は、略環状円板状の本体基部と本体基部から立設された支持内筒と本体基部から立設された保護外筒とにより形成された略環状空間を備え、前記操作体は、前記略環状空間内に配置される、前記ワイヤー係止部を含むワイヤー巻取り部、ワイヤー巻取り部に連続して設けられた操作体基部、操作体基部に連続して設けられた握持操作部、を備え、前記着脱用係止体挿通孔を、本体基部に対しほぼ直交する方向に、本体基部および保護外筒を貫通するよう形成し、前記ワイヤー挿通部を、前記着脱用係止体挿通孔により切り欠かれた保護外筒の切欠き部により形成し、本体基部に、着脱用係止体挿通孔に連続して形成された着脱用ワイヤー通し孔、着脱用ワイヤー通し孔に連続して形成された第２の着脱用係止体挿通孔、を設けたことを特徴とする。
【００１２】
請求項２のワイヤー操作装置は、支持本体、支持本体に対し回動可能に支持されるとともに、操作ワイヤーの膨出係止体を当該回動方向に係止し得るワイヤー係止部を有する操作体、を備え、操作体の回動操作に伴い、操作ワイヤーを牽引しまたは繰出すワイヤー操作装置において、前記ワイヤー係止部を、当該ワイヤー係止部の前記回動方向とほぼ直交する方向に、操作ワイヤーの膨出係止体を着脱し得るよう構成し、少なくとも前記支持本体の一部を用いた、操作ワイヤーのワイヤー体を挿通するワイヤー挿通部、少なくとも前記支持本体の一部を用い、ワイヤー挿通部に連続して外部に開放されたワイヤー着脱用溝部、を設けたことを特徴とする。
さらに、請求項２のワイヤー操作装置においては、前記支持本体は、略環状円板状の本体基部と本体基部から立設された支持内筒と本体基部から立設された保護外筒とにより形成された略環状空間を備え、前記操作体は、前記略環状空間内に配置される、前記ワイヤー係止部を含むワイヤー巻取り部、ワイヤー巻取り部に連続して設けられた操作体基部、操作体基部に連続して設けられた握持操作部、を備え、本体基部に、ワイヤー着脱用溝部に連続して形成された着脱用ワイヤー通し孔および第２の着脱用係止体挿通孔、を設けたことを特徴とする。
【００１３】
請求項３のワイヤー操作装置は、支持本体、支持本体に対し回動可能に支持されるとともに、操作ワイヤーの膨出係止体を当該回動方向に係止し得るワイヤー係止部を有する操作体、を備え、操作体の回動操作に伴い、操作ワイヤーを牽引しまたは繰出すワイヤー操作装置において、前記ワイヤー係止部を、当該ワイヤー係止部の前記回動方向とほぼ直交する方向に、操作ワイヤーの膨出係止体を着脱し得るよう構成し、少なくとも前記支持本体の一部を用いた、操作ワイヤーのワイヤー体を挿通するワイヤー挿通部、少なくとも前記支持本体の一部を用い、ワイヤー挿通部を含むようまたはワイヤー挿通部に連続するよう形成した、操作ワイヤーの膨出係止体を挿通し得る着脱用係止体挿通孔、を設けたワイヤー操作装置であって、さらに、当該ワイヤー操作装置において、前記ワイヤー挿通部に連続して設けられたワイヤー案内溝を有するワイヤー案内部、ワイヤー案内部の略先端部に設けられ、ワイヤー鞘の端部を係止するとともに、ワイヤー鞘の端部近傍に設けられた凹部に係合する係合突起を有する鞘端係止部、を設けたことを特徴とする。
請求項４のワイヤー操作装置は、支持本体、支持本体に対し回動可能に支持されるとともに、操作ワイヤーの膨出係止体を当該回動方向に係止し得るワイヤー係止部を有する操作体、を備え、操作体の回動操作に伴い、操作ワイヤーを牽引しまたは繰出すワイヤー操作装置において、前記ワイヤー係止部を、当該ワイヤー係止部の前記回動方向とほぼ直交する方向に、操作ワイヤーの膨出係止体を着脱し得るよう構成し、少なくとも前記支持本体の一部を用いた、操作ワイヤーのワイヤー体を挿通するワイヤー挿通部、少なくとも前記支持本体の一部を用い、ワイヤー挿通部に連続して外部に開放されたワイヤー着脱用溝部、を設けたワイヤー操作装置であって、さらに、当該ワイヤー操作装置において、前記ワイヤー挿通部に連続して設けられたワイヤー案内溝を有するワイヤー案内部、ワイヤー案内部の略先端部に設けられ、ワイヤー鞘の端部を係止するとともに、ワイヤー鞘の端部近傍に設けられた凹部に係合する係合突起を有する鞘端係止部、を設けたことを特徴とする。
【００１４】
【発明の効果】
請求項１のワイヤー操作装置は、回動方向とほぼ直交する方向に操作ワイヤーの膨出係止体を着脱し得るようワイヤー係止部を構成するとともに、ワイヤー挿通部を含むようまたはワイヤー挿通部に連続するよう形成した着脱用係止体挿通孔を設けたことを特徴とする。
【００１５】
したがって、操作ワイヤーをセットする場合、操作ワイヤーの膨出係止体を、着脱用係止体挿通孔を通してワイヤー操作装置に挿入することができ、挿入した膨出係止体を、ワイヤー係止部に係止することができる。このため、膨出係止体側から操作ワイヤーを挿入し、セットすることができる。セットされた操作ワイヤーを、ワイヤー操作装置から取り外す場合も、セット時と逆の手順で行なうことができる。すなわち、ワイヤー体の両端に膨出係止体が設けられた操作ワイヤーであっても、ワイヤー操作装置に着脱することが可能となる。
【００１６】
また、操作ワイヤーの着脱に際し、ワイヤー体の全長に渡ってワイヤー挿通部に通す必要がない。このため、操作ワイヤーの着脱を短時間で行なうことができる。さらに、着脱用係止体挿通孔を、ワイヤー挿通部を含むようまたはワイヤー挿通部に連続するよう形成したので、ワイヤー挿通部に連続して外部に開放されたワイヤー着脱用溝部を設ける構成に比較して、支持本体の強度を高く保つことができる。
【００１７】
さらに、請求項１のワイヤー操作装置は、操作体が握持操作部を有し、かつ、操作体のワイヤー係止部を含むワイヤー巻取り部は、支持本体の保護外筒に覆われている。また、支持本体の本体基部に、着脱用係止体挿通孔に連続して形成された着脱用ワイヤー通し孔、着脱用ワイヤー通し孔に連続して形成された第２の着脱用係止体挿通孔を設けたことを特徴とする。
【００１８】
したがって、操作ワイヤーをセットする場合、操作ワイヤーの膨出係止体を、着脱用係止体挿通孔を貫通して一旦ワイヤー操作装置の外部に露出させ、その後、第２の着脱用係止体挿通孔を介して、該膨出係止体を、ワイヤー係止部に係止することができる。
【００１９】
このため、いわゆるグリップ操作型の自転車用変速操作装置に適用した場合、該装置を自転車のハンドルバーに取り付けた状態であっても、開放された本体基部側を利用して、操作ワイヤーの着脱を容易に行なうことができる。
【００２０】
請求項２のワイヤー操作装置は、回動方向とほぼ直交する方向に操作ワイヤーの膨出係止体を着脱し得るようワイヤー係止部を構成するとともに、ワイヤー挿通部に連続して外部に開放されたワイヤー着脱用溝部を設けたことを特徴とする。
【００２１】
したがって、操作ワイヤーをセットする場合、ワイヤー体を、該ワイヤー体に直交する方向に、ワイヤー着脱用溝部を介して、ワイヤー挿通部に挿入することができる。さらに、操作ワイヤーの膨出係止体を、ワイヤー係止部に係止することができる。このため、膨出係止体側から操作ワイヤーを挿入し、セットすることができる。セットされた操作ワイヤーを、ワイヤー操作装置から取り外す場合も、セット時と逆の手順で行なうことができる。すなわち、ワイヤー体の両端に膨出係止体が設けられた操作ワイヤーであっても、ワイヤー操作装置に着脱することが可能となる。
【００２２】
また、操作ワイヤーの着脱に際し、ワイヤー体の全長に渡ってワイヤー挿通部に通す必要がない。このため、操作ワイヤーの着脱を短時間で行なうことができる。
【００２３】
請求項３および４のワイヤー操作装置は、ワイヤー挿通部に連続して設けられたワイヤー案内溝を有するワイヤー案内部と、ワイヤー案内部の略先端部に設けられ係合突起を有する鞘端係止部を設けたことを特徴とする。
【００２４】
したがって、ワイヤー挿通部から取り出したワイヤー体を、ワイヤー案内溝に沿うよう配置するだけで、容易に、操作ワイヤーを任意の方向に導出することができる。さらに、鞘端係止部にワイヤー鞘を挿入することにより、ワイヤー鞘の端部近傍に設けられた凹部に、鞘端係止部の係合突起が係合する。このため、ワイヤー鞘が鞘端係止部から外れにくくなる。この結果、ワイヤー体がワイヤー案内部から外れにくくなる。すなわち、容易に、操作ワイヤーを任意の方向に導出することができ、かつ、ワイヤー体をワイヤー案内部から外れにくくすることができる。
【００２５】
【発明の実施の形態】
図１は、自転車のハンドルバー２８に装着された、この発明の一実施形態によるワイヤー操作装置である自転車用の変速操作装置３０を、自転車の前上方から見た図面である。変速操作装置３０は、ハンドルバー２８の端部に装着されたハンドルグリップ２６の内方（Ｑ６方向）に配置され、ハンドルバー２８に固定される。変速操作装置３０は、支持本体であるレバー台３２、および操作体６０を備えている。
【００２６】
ハンドルグリップ２６と変速操作装置３０との間には、ハンドルグリップ２６と操作体６０とが直接接触することを防止するために、スライド座金２４が介装されている。なお、変速操作装置３０のさらに内方には、ブレーキ操作装置（図示せず）が装着される。
【００２７】
図２は、変速操作装置３０の、図１における断面Ｖ１−Ｖ１を示す図面である。図２に示すように、レバー台３２の一部を構成する、略環状円板状のレバー台基部（本体基部）３４の内径部には、円筒状の保持金具８０が内挿されている。保持金具８０の円筒面に螺入された止めねじ８２を締め込むことにより、保持金具８０ともども、レバー台３２をハンドルバー２８に固定することができる。
【００２８】
略環状円板状に形成されたレバー台基部３４の外方（Ｑ５方向）には、ハンドルバー２８を取囲むように、円筒状の支持内筒４２が立設されている。支持内筒４２とほぼ同心状に、保護外筒４４が立設されている。支持内筒４２と保護外筒４４との間に、ドーナツ状の略環状空間４８が形成されている。
【００２９】
操作体６０は、レバー台３２の支持内筒４２に回動可能に支持されるとともに、レバー台３２に設けられた係合爪（図示せず）により、Ｑ５方向に離間することができないよう構成されている。操作体６０は、ワイヤー巻取部６２、操作体基部６６、および握持操作部である操作グリップ６８を、この順に、Ｑ５方向に連続的に配置するよう形成されている。ワイヤー巻取部６２および操作体基部６６は、レバー台３２の略環状空間４８内に収納されている。操作グリップ６８は、外部に露出している。
【００３０】
操作体６０のワイヤー巻取部６２は、図６に示すように、円筒状の巻胴６３と、巻胴６３の略接線方向に設けられたワイヤー係止部であるニップル収納部６４とを備えている。図６に示すように、ニップル収納部６４に収納された、膨出係止体であるニップル１２は、操作体６０に対し、円周方向（Ｑ１およびＱ２方向）に固定的に保持される一方、紙面手前方向（図２のＱ６方向）に取り外し可能となっている。
【００３１】
図３に、変速操作装置３０を、図２のＶ２方向から見た図を示す。図３に示すように、レバー台３２には、紙面にほぼ直交する方向に貫通するよう形成された着脱用係止体挿通孔３６、着脱用ワイヤー通し孔３８および第２の着脱用係止体挿通孔４０が、この順に、連続して設けられている。図４は、変速操作装置３０を、図２のＶ３方向から見た図面である。図３と図４とから分かるように、着脱用係止体挿通孔３６は、変速操作装置３０を、ほぼＱ５（Ｑ６）方向に貫通するよう設けられている。この、着脱用係止体挿通孔３６、着脱用ワイヤー通し孔３８および第２の着脱用係止体挿通孔４０を介して、操作ワイヤーであるインナーワイヤー１６（図１５Ｂ参照）を、変速操作装置３０に着脱することができる（後述）。
【００３２】
図５は、変速操作装置３０の、図３における断面Ｖ４−Ｖ４を示す図面である。図５に示すように、レバー台３２の保護外筒４４の一部を切り欠いて、ワイヤー挿通部４６を形成している。
【００３３】
レバー台３２には、ワイヤー挿通部４６の近傍を起点とするワイヤー案内部５０が、略Ｌ字状に突設されている。ワイヤー案内部５０には、インナーワイヤー１６のワイヤー体１４を案内するための、ワイヤー案内溝５１が設けられている。
【００３４】
ワイヤー案内溝５１は、ワイヤー挿通部４６に連続して設けられている。したがって、ワイヤー体１４は、レバー台３２のワイヤー挿通部４６を介して外部に導出され、ワイヤー案内溝５１により、Ｑ６方向に案内される。すなわち、図６に示すように、操作グリップ６８をＱ１方向に回動させて、ワイヤー体１４を巻胴６３に巻取れば、ワイヤー体１４はＱ３方向に牽引され、図５に示すように、ワイヤー案内部５０により変向された後、Ｑ５方向に牽引される。逆に、操作グリップ６８をＱ２方向（図６参照）に回動させれば、ワイヤー体１４は、図５に示すように、Ｑ６方向に繰出される。
【００３５】
ワイヤー案内溝５１は、略Ｌ字状のワイヤー案内部５０全長にわたり、外部に開放されるよう形成されている。したがって、ワイヤー体１４が長い場合であっても、孔に通す必要がないため、セットが容易である。
【００３６】
ワイヤー案内部５０の略先端部には、鞘端係止部であるアウター受け部５２が形成されている。図７に拡大図で示すように、アウター受け部５２は、ワイヤー鞘であるアウター筒１８の端部にはめ込まれたアウターキャップ２０を挿入することができるよう、略円筒状内面５２ａを備えている。略円筒状内面５２ａには、係合突起である凸条５４が周設されている。凸条５４と、アウターキャップ２０に周設された凹条（凹部）とを、係合させることにより、レバー台３２とアウター筒１８とを、所定の強さで結合することができる。
【００３７】
なお、前述のように、変速操作装置３０のさらに内方（Ｑ６方向）には、ブレーキ操作装置（図示せず）が装着される。このため、図５に示すように、この実施形態においては、該ブレーキ操作装置との干渉を避けるため、レバー台基部３４の内方端３４ａに比し、ワイヤー案内部５０の基部内方５０ａが、外方（Ｑ５方向）側に退避した状態になるよう形成している。
【００３８】
つぎに、ハンドルバー２８（図１参照）に取り付けられた上述の変速操作装置３０に、両端ニップル型のインナーワイヤー１６（図１５Ｂ参照）をセットする手順について説明する。まず、図４に示す着脱用係止体挿通孔３６に、紙面手前から、紙面向う側に向けて、インナーワイヤー１６のニップル１２を貫通させる。図５に、貫通前のニップル１２の位置を（ａ）で、貫通方向をＲ１で示す。
【００３９】
図８に示すように、着脱用係止体挿通孔３６に、ニップル１２を貫通させた後、（ｂ）の位置からワイヤー体１４を、Ｒ２方向に回転させ、図９に示す（ｃ）の位置に移動させる。ワイヤー体１４を、（ｃ）の位置から、さらにＲ２方向に回転させることにより、ニップル１２を、第２の着脱用係止体挿通孔４０を介して、図５に示す操作体６０のニップル収納部６４に収めることができる。このとき、レバー台３２のＱ６側（図９参照）に露出したワイヤー体１４は、着脱用ワイヤー通し孔３８を介して、図５に示す操作体６０の巻胴６３上に移動させることができる。この状態を、図１０（ｄ）に示す。
【００４０】
図１０（ｄ）の状態から、ワイヤー体１４を、さらにＲ２方向に回転させ、（ｅ）の状態にする。（ｅ）の状態から、アウター筒１８をＱ５方向に移動させることにより、アウター筒１８のアウターキャップ２０を、アウター受け部５２の略円筒状内面５２ａに挿入する。この状態を、図１１（ｆ）に示す。このとき、図７に示すように、略円筒状内面５２ａの凸条５４と、アウターキャップ２０の凹条２０ａとが係合し、レバー台３２とアウター筒１８とが、所定の強さで結合される。
【００４１】
最後に、ニップル１２が操作体６０のニップル収納部６４（図５参照）から抜出ることを防止するために、レバー台３２の第２の着脱用係止体挿通孔４０に、キャップ８４を挿入する。なお、このキャップ８４は、単純な片フランジ付き円筒形状に形成されている。したがって、着脱用係止体挿通孔４０に挿入する際、着脱用係止体挿通孔４０に対して、キャップ８４の円筒軸回りの回転位置を合わせる必要がない。これは、インナーワイヤー１６の着脱作業を、ユーザーが行なう場合を考慮したものである。
【００４２】
変速操作装置３０からインナーワイヤー１６を取り外す作業は、上述のセットする手順と逆の手順で行なえばよい。なお、図１５Ａに示す、片ニップル型のインナーワイヤー１０についても、インナーワイヤー１６の場合と同様の手順で着脱作業を行なうことができる。
【００４３】
つぎに、図１２に、この発明の他の実施形態によるワイヤー操作装置である自転車用の変速操作装置１３０を、自転車の前上方から見た図面を示す。変速操作装置１３０は、前述の実施形態同様、レバー台１３２および操作体６０を備えており、後述する構造以外の構造は、前述の変速操作装置３０と、ほぼ同様である。
【００４４】
この変速操作装置１３０は、前述の着脱用係止体挿通孔３６（図３参照）に代え、ワイヤー着脱用溝部１３６を備えている。図１２に示すように、ワイヤー着脱用溝部１３６は、ワイヤー挿通部４６に連続して設けられるとともに、外部に開放されている。また、図１３に示すように、ワイヤー着脱用溝部１３６は、着脱用ワイヤー通し孔３８および第２の着脱用係止体挿通孔４０と連続的に形成されている。
【００４５】
図１３に示すように、この変速操作装置１３０に、インナーワイヤー１６（図１５Ｂ参照）をセットするには、まず、ワイヤー着脱用溝部１３６の直上に配置したワイヤー体１４を、Ｒ３の方向に移動して、ワイヤー着脱用溝部１３６に挿入する。
【００４６】
続いて、前述の実施形態の場合と同様の作業（図９〜図１１参照）を行なうことにより、変速操作装置１３０に、インナーワイヤー１６をセットすることができる。変速操作装置１３０からインナーワイヤー１６を取り外す作業も、前述の実施形態同様、セットする手順と逆の手順で行なえばよい。図１５Ａに示す、片ニップル型のインナーワイヤー１０の場合も、同様の作業を行なえばよい。
【００４７】
なお、上述の各実施形態においては、自転車のハンドルバーに装着された自転車用の変速操作装置を例に説明したが、この発明は、ハンドルポストなど、ハンドルバー以外の箇所に装着された自転車用の変速操作装置にも適用される。さらに、自転車用の変速操作装置以外に、原動機のスロットル操作装置など、ワイヤー操作装置一般に適用されるものである。
【図面の簡単な説明】
【図１】自転車のハンドルバーに装着された、この発明の一実施形態によるワイヤー操作装置である自転車用の変速操作装置３０を、自転車の前上方から見た図面である。
【図２】変速操作装置３０の、図１における断面Ｖ１−Ｖ１を示す図面である。
【図３】変速操作装置３０を、図２のＶ２方向から見た図面である
【図４】変速操作装置３０を、図２のＶ３方向から見た図面である。
【図５】変速操作装置３０の、図３における断面Ｖ４−Ｖ４を示す図面である。
【図６】操作体６０を、図２におけるＶ２方向から見た図面である。
【図７】アウター受け部５２の拡大図である。
【図８】変速操作装置３０にインナーワイヤーをセットする手順について説明するための図面である。
【図９】変速操作装置３０にインナーワイヤーをセットする手順について説明するための図面である。
【図１０】変速操作装置３０にインナーワイヤーをセットする手順について説明するための図面である。
【図１１】変速操作装置３０にインナーワイヤーをセットする手順について説明するための図面である。
【図１２】自転車のハンドルバーに装着された、この発明の他の実施形態によるワイヤー操作装置である自転車用の変速操作装置１３０を、自転車の前上方から見た図面である。
【図１３】変速操作装置１３０にインナーワイヤーをセットする手順について説明するための図面である。
【図１４】従来の自転車用の変速操作装置の構成の一部を示す概念図である。
【図１５】片ニップル型インナーワイヤーおよび両端ニップル型インナーワイヤーの構成を示す図面である。
【符号の説明】
１２・・・・・・・ニップル
１４・・・・・・・ワイヤー体
３２・・・・・・・レバー台
３６・・・・・・・着脱用係止体挿通孔
３８・・・・・・・着脱用ワイヤー通し孔
４０・・・・・・・第２の着脱用係止体挿通孔
６０・・・・・・・操作体
【図１】
0003702317.tif 000002
【図２】
0003702317.tif 000003
【図３】
0003702317.tif 000004
【図４】
0003702317.tif 000005
【図５】
0003702317.tif 000006
【図６】
0003702317.tif 000007
【図７】
0003702317.tif 000008
【図８】
0003702317.tif 000009
【図９】
0003702317.tif 000010
【図１０】
0003702317.tif 000011
【図１１】
0003702317.tif 000012
【図１２】
0003702317.tif 000013
【図１３】
0003702317.tif 000014
【図１４】
0003702317.tif 000015
【図１５】
0003702317.tif 000016